(57)【要約】【課題】  検定処理後に、再度ファインスキャンを実行することが可能な画像読取方法を提供する。【解決手段】  写真フィルムを搬送して読み取り対象の画像コマを所定の読み取り位置に搬送し、プレスキャン、ファインスキャンを連続的に行い、プレスキャンによって得られた画像を表示部に表示する。オペレータは表示部に表示された画像を参照しながら検定処理を行う。検定処理において画像のトリミングやプリントサイズの変更等が指示された場合には、再ファインスキャンを実行する。写真フィルムの搬送は、検定処理が終了した後に行う。【選択図】    図７
2006217330.tif 000002
【特許請求の範囲】
【請求項１】
写真フィルムに記録された画像コマが所定の読み取り位置に位置決めされるように前記写真フィルムを所定方向に搬送する工程と、
前記画像コマ全体に光を照射して画像を予備読み取りする工程と、
前記予備読み取りよりも高解像度で前記画像コマを本読み取りする工程と、
前記予備読み取りによる画像を表示手段に表示する工程と、
前記表示手段に表示した画像に基づく所定の検定処理の結果により、前記本読み取りの再実行を指示された場合に、前記本読み取りを再度実行する工程と、
次の読み取り対象の画像コマが前記読み取り位置に位置決めされるように前記写真フィルムを前記所定方向に搬送する工程と、
を含むことを特徴とする画像読取方法。
【請求項２】
前記本読み取りの実行中に、前記検定処理の結果により前記本読み取りの再実行が必要となった場合、実行中の本読み取りを中止して、再度本読み取りを実行することを特徴とする請求項１記載の画像読取方法。
【請求項３】
前記写真フィルムは、パーフォレーションが設けられていない写真フィルムであることを特徴とする請求項１又は請求項２に記載の画像読取方法。
【発明の詳細な説明】
【技術分野】
【０００１】
本発明は、画像読取方法に係り、特に、写真フィルムに記録された画像コマを読み取る画像読取方法に関する。
【背景技術】
【０００２】
従来、写真フィルムに記録されているフィルム画像を、ＣＣＤ等の読取センサを備えたスキャナによって読み取り、この読み取りによって得られた画像データに対して各種の補正等の画像処理を行い、プリンタに出力する画像出力装置が知られている。
【０００３】
このような画像出力装置では、所望の画質の記録画像や表示画像を得るために、フィルム画像を予備的に読み取り（所謂、プレスキャン）、フィルム画像の濃度等に応じた読取条件（例えば、フィルム画像に照射する光の光量やＣＣＤの電荷蓄積時間等）を決定し、決定した読取条件でフィルム画像を読み取っている（所謂、ファインスキャン）ものがある。
【０００４】
例えば、特許文献１には、プレスキャンの後に、プレスキャンによって得られた画像データの画像処理を行っている間にファインスキャンを行い、ファインスキャン後にコマ送りする装置が記載されている。
【０００５】
また、特許文献２には、プレスキャン及びファインスキャンを連続的に行うと共に、プリンタの利用効率を高めるために、写真フィルム１本分のファインスキャンデータが蓄積された時点で、これをプリンタに出力する装置が記載されている。
【０００６】
上記特許文献１及び特許文献２に記載された装置において、プレスキャンは、ファインスキャンを実行する際の画像読み取り条件や画像処理条件等を決定するために行われているが、プレスキャン後にプレスキャン画像をモニタに表示し、オペレータがこの画像を確認しながら画像読み取り条件や画像処理条件等を決定するだけでなく、画像をトリミングしたりプリントサイズを変更したりする検定処理を行う場合がある。そして、この検定処理において、画像をトリミングしたりプリントサイズを変更した場合には、最適な光学倍率や読み取り解像度等の画像読取条件が変わることから、元のファインスキャンデータを使用することはできず、再度ファインスキャンを実行する必要がある。
【特許文献１】特開平９−１１６６７０号公報
【特許文献２】特開平１１−２７４６６号公報
【発明の開示】
【発明が解決しようとする課題】
【０００７】
しかしながら、上記従来技術では、再度ファインスキャンを実行するには、写真フィルムを戻さなければならない場合があり、画像をトリミングしたりプリントサイズを変更したい場合に効率よく対応することができない、という問題があった。
【０００８】
本発明は上記事実を考慮して、検定処理後に、再度ファインスキャンを実行することが可能な画像読取方法を提供することを課題とする。
【課題を解決するための手段】
【０００９】
上記目的を達成するために請求項１に記載の発明は、写真フィルムに記録された画像コマが所定の読み取り位置に位置決めされるように前記写真フィルムを所定方向に搬送する工程と、前記画像コマ全体に光を照射して画像を予備読み取りする工程と、前記予備読み取りよりも高解像度で前記画像コマを本読み取りする工程と、前記予備読み取りによる画像を表示手段に表示する工程と、前記表示手段に表示した画像に基づく所定の検定処理の結果により、前記本読み取りの再実行を指示された場合に、前記本読み取りを再度実行する工程と、次の読み取り対象の画像コマが前記読み取り位置に位置決めされるように前記写真フィルムを前記所定方向に搬送する工程と、を含むことを特徴とする。
【００１０】
この発明によれば、写真フィルムに記録された画像コマが所定の読み取り位置に位置決めされるように写真フィルムを所定方向に搬送する。なお、請求項３に記載したように、前記写真フィルムは、パーフォレーションが設けられていない写真フィルムとすることができる。このような写真フィルムとしては、例えばブローニフィルムがある。
【００１１】
そして、画像コマ全体に光を照射して画像を予備読み取りする。この予備読み取りでは、比較的低解像度で画像を読み取る。予備読み取りを実行した後は、予備読み取りよりも高解像度で画像コマを本読み取りする。
【００１２】
また、予備読み取りによって得られた画像を表示手段に表示する。ここで、例えばオペレータは、表示手段に表示された画像を参照して、画像のトリミングやプリントサイズの変更、画像読取条件、画像処理条件の指定等の所定の検定処理を行うことが出来る。この場合、画像のトリミングやプリントサイズの変更が指示された場合は、読み取り解像度等の画像読取条件を変更して再度本読み取りする必要がある。
【００１３】
そこで、表示手段に表示した画像に基づく所定の検定処理の結果により、本読み取りの再実行を指示された場合には、本読み取りを再度実行する。
【００１４】
そして、本読み取りが終了した後に、次の読み取り対象の画像コマが前記読み取り位置に位置決めされるように写真フィルムを所定方向に搬送する。
【００１５】
このように、画像読取条件を変更して再度本読み取りすることができるので、画像のトリミングやプリントサイズの変更が指示された場合にも対応することができ、より適正に画像を読み取ることができる。
【００１６】
また、予備読み取り及び本読み取りを連続的に行うが、その後すぐに写真フィルムを搬送するのではなく、検定処理の後で写真フィルムを搬送するので、検定処理の結果により再度本読み取りが必要となった場合でも、写真フィルムを逆搬送して戻す必要がない。請求項３に記載したような、パーフォレーションが設けられていない写真フィルムの場合には、逆搬送した場合に正確に読み取り位置に戻されるとは限らないが、本発明のように、必ず検定処理の後に写真フィルムを搬送することにより、逆搬送により発生する位置ずれの影響を防ぐことができる。
【００１７】
また、本読み取りを実行する際に、通常の設定よりも高解像度で読み取るように設定されていた場合には、検定処理が終了した時点で本読み取りが終了していない場合もある。このとき、検定処理の結果により再度本読み取りする必要がある場合、先に実行中の本読み取りにより得られた画像データは不要なものとなる。
【００１８】
そこで、請求項２に記載したように、前記本読み取りの実行中に、前記検定処理の結果により前記本読み取りの再実行が必要となった場合、実行中の本読み取りを中止して、再度本読み取りを実行するようにしてもよい。
【００１９】
このように、先に実行中の本読み取りを途中で中止して、画像読取条件を変更して再度本読み取りを行うので、スキャンサイクルが無用に長くなるのを防ぐことができる。
【発明の効果】
【００２０】
本発明によれば、検定処理後に、再度ファインスキャンを実行することができる。
【発明を実施するための最良の形態】
【００２１】
以下、図面を参照して本発明の実施形態について説明する。
【００２２】
図１には、本実施形態に係る画像読取装置８０の概略構成のブロック図を示した。
【００２３】
画像読取装置８０は、エリアＣＣＤスキャナ８２、スキャナ補正部８４、フィルムキャリア１０、画像処理部８６、表示部８８、操作部９０、及びマイクロプロセッサ９２を含んで構成されている。
【００２４】
エリアＣＣＤスキャナ８２は、写真フィルムに記録されている各画像コマを読み取るためのものである。本実施形態では、一例として、パーフォレーションが設けられていない写真フィルム、例えば所謂ブローニサイズ（１２０サイズ、２２０サイズ）の写真フィルムのフィルム画像を読取対象としている。
【００２５】
エリアＣＣＤスキャナ８２は、図示しない光源、光学レンズ、撮像素子としてのエリアＣＣＤ、及びＡ／Ｄ変換器等を含んで構成され、写真フィルムに記録された画像コマ全体に光源から射出された光を照射し、これを透過した光を光学レンズによってエリアＣＣＤに結像させる。そして、エリアＣＣＤに蓄積された電荷を読み出してＡ／Ｄ変換することにより、画像コマの画像データを得る。
【００２６】
スキャナ補正部８４は、エリアＣＣＤスキャナ８２から入力された画像コマの画像データに対し、各種の補正処理を施す。具体的には、スキャナ補正部８４は、例えば暗補正部、欠陥画素補正部、明補正部等を含んで構成されている。暗補正部は、エリアＣＣＤの光入射側がシャッタにより遮光されている状態で、エリアＣＣＤスキャナ８２から入力された画像データ（エリアＣＣＤの暗出力レベルを表すデータ）を各画素毎に記憶しておき、エリアＣＣＤスキャナ８２から入力されたスキャン画像データから各画素毎に前記暗出力レベルを減ずることによって補正する。
【００２７】
また、エリアＣＣＤの光電変換特性は各ＣＣＤセル単位でのばらつきもある。欠陥画素補正部の後段の明補正部では、エリアＣＣＤスキャナ８２に画面全体が一定濃度の調整用のフィルム画像がセットされている状態で、エリアＣＣＤで前記調整用のフィルム画像を読み取ることによりエリアＣＣＤスキャナ８２から入力された調整用のフィルム画像の画像データ（この画像データが表す各画素毎の濃度のばらつきは各ＣＣＤセルの光電変換特性のばらつきに起因する）に基づいて各画素毎にゲインを定めておき、エリアＣＣＤスキャナ８２から入力された読取対象のフィルム画像の画像データを各画素毎に補正する。
【００２８】
一方、調整用のフィルム画像の画像データにおいて、特定の画素の濃度が他の画素の濃度と大きく異なっていた場合には、前記特定の画素に対応するＣＣＤセルには何らかの異常があり、前記特定の画素は欠陥画素と判断できる。欠陥画素補正部は、調整用のフィルム画像の画像データに基づき欠陥画素のアドレスを記憶しておき、エリアＣＣＤスキャナ８２から入力された読取対象のフィルム画像の画像データのうち、欠陥画素のデータについては周囲の画素のデータから補間してデータを新たに生成する。
【００２９】
画像処理部８６は、エリアＣＣＤスキャナ８２により読み取られた画像コマの画像データ（スキャン画像データ）に対して後述する各種の処理を行う。例えば画像処理部８６は、縮小処理部、補正・変換部、信号処理部等を含み、所定の縮小処理、補正・変換処理、デジタル信号処理等の各種の画像処理を行う。画像処理が施された画像データは、印画紙への記録用の画像データとしてプリンタ部９４へ出力される。
【００３０】
表示部８８は、ＣＲＴや液晶ディスプレイ等で構成され、読み取った画像や後述する検定処理を実行するための各種メニュー画面等を表示する。
【００３１】
操作部９０は、例えばキーボードやマウス等を含んで構成され、オペレータは、操作部９０を操作することにより、表示部８８に表示された画像を参照しながら画像のトリミングの指示やプリントサイズの変更、画像読取条件、画像処理条件等の指定を行うことができる。
【００３２】
マイクロプロセッサ９２は、ＣＰＵ９２Ａ、ＲＡＭ９２Ｂ、ＲＯＭ９２Ｃ、及び入出力インターフェース（Ｉ／Ｏ）９２Ｄを含んで構成され、これらは各々バス９２Ｅを介して接続されている。ＲＡＭ９２Ｂは、例えばＤＲＡＭ等で構成され、各種データ等を一時的に記憶する。ＲＯＭ９２Ｃは、例えば記憶内容を書換え可能なフラッシュＲＯＭ等で構成され、制御プログラムや各種パラメータ等が記憶される。ＣＰＵ９２Ａは、上記の各部をＲＯＭ９２Ｃに記憶された制御プログラムに従って制御する。
【００３３】
プリンタ部９４は、Ｒ、Ｇ、Ｂのレーザ光源を備えており、画像処理部８６によって画像処理が施された記録用の画像データに応じて変調したレーザ光を印画紙に照射して、走査露光によって印画紙に画像を記録する。画像が記録された印画紙は、図示しないプロセッサ部によって、発色現像、漂白定着、水洗、乾燥の各処理が施される。これにより、印画紙上に画像が形成される。
【００３４】
次に、フィルムキャリア１０について説明する。
【００３５】
図２〜図４には、本実施形態のフィルムキャリア１０が示されている。フィルムキャリア１０は、ブローニーフィルム用のフィルムキャリアでスキャナ装置に着脱可能とされており、このフィルムキャリア１０には、図２及び図３に示されるように、スキャナ装置に装着されるベース台１２が設けられている。ベース台１２の略中央部には、写真フィルム（ブローニーフィルム）Ｆに記録された画像コマＰにスキャナ装置（エリアＣＣＤスキャナ８２）の光源部から出射された光を照射し、写真フィルムＦを透過した光（フィルム透過光）をスキャナ装置のレンズユニットにより撮像素子（エリアＣＣＤ）の受光面上に結像することにより、フィルム透過光を撮像素子によって電気的な画像信号に変換して画像を読み取るための画像読取部１４が設けられている。また、ベース台１２の上面部には、写真フィルムＦを画像読取部１４に搬送するためのフィルム搬送路Ｒが装置の幅方向（矢印Ｗ方向）に沿って延在するように形成されており、このフィルム搬送路は図中の矢印Ｒで模式的に示されている。
【００３６】
図３に示されるように、画像読取部１４には装置幅方向を長手とする矩形状の窓部１６が形成されており、窓部１６には、画像読取部１４に搬送された写真フィルムＦの裏面が接触して光照射方向（図５（Ｂ）の光軸Ｌ参照）に沿った基準位置に写真フィルムＦをセットするためのベース板１８が嵌め込まれている。
【００３７】
ベース板１８は、透明ガラス板で形成されており、図４に示されるように、ベース板１８の上面には、写真フィルムＦの画像コマＰと対応する部位に、フィルム搬送方向（矢印Ａ方向）に沿って凹部２０が延設され、フィルム搬送方向と直交する方向（フィルム幅方向）における両側縁部に、凹部２０を形成する一対の凸部２２Ａ、２２Ｂが延設されている。上記の光照射方向に沿った基準位置は、この一対の凸部２２Ａ、２２Ｂの各上面によって構成されている（画像読取基準面Ｓ）。また、凹部２０のフィルム搬送方向と直交する方向での溝幅寸法Ｌ１は、画像コマＰの幅寸法Ｌ２よりも少し大きくされている。
【００３８】
フィルム搬送路Ｒにおける画像読取部１４の上流側及び下流側には、フィルム搬送方向と直交する方向に沿って延出された一対のマスク２４Ａ、２４Ｂが設けられている。この一対のマスク２４Ａ、２４Ｂは、フィルム搬送方向と直交する方向での長さ寸法が、ベース板１８の凹部２０の溝幅寸法Ｌ１よりも少し小さくされており（図４参照）、ベース台１２に図示しない支持機構によって昇降可能、及びフィルム搬送方向に沿って移動可能とされ（矢印Ｗ方向）互いに接近及び離間するように支持されたマスク保持部材２６Ａ、２６Ｂに取り付けられて保持されている。
【００３９】
これにより、マスク２４Ａ、２４Ｂは、マスク保持部材２６Ａ、２６Ｂの昇降に伴いベース板１８に対して接近及び離間する（図４の矢印Ｚ方向）。また、マスク２４Ａ、２４Ｂは、マスク保持部材２６Ａ、２６Ｂが上昇しているときには、ベース板１８から所定距離だけ離れて配置され、マスク保持部材２６Ａ、２６Ｂが所定位置まで下降すると、画像読取基準面Ｓと略一致する所定の位置で停止されるよう構成されている。
【００４０】
また、マスク保持部材２６Ａ、２６Ｂの一端部には、フィルム搬送方向に沿って延出されたラック３０が連結されており、ラック３０のラックギア３２には、ステッピングモータからなるマスク移動モータ３４の駆動ギア３６が噛み合っている。これにより、マスク移動モータ３４が駆動ギア３６を回転駆動させると、ラック３０がフィルム搬送方向に沿って移動し、このラック３０の移動に伴いマスク保持部材２６Ａ、２６Ｂはフィルム搬送方向に沿って移動しつつ互いに接近及び離間し、マスク２４Ａ、２４Ｂによるマスク位置を変更する。このマスク２４Ａ、２４Ｂの変位により、写真フィルムＦの搬送方向における画像コマサイズの変更に対応することができる。
【００４１】
フィルム搬送方向と直交する方向における画像読取部１４の両側には、一対の圧着ユニット４０Ａ、４０Ｂが設けられている。この一対の圧着ユニット４０Ａ、４０Ｂは、フィルム搬送方向に沿って延出された圧着ベース４２を備えており、圧着ベース４２は、ベース台１２に図示しない支持機構によって昇降可能に支持され、マスク保持部材２６Ａ、２６Ｂの昇降に伴いベース板１８に対して接近及び離間する（図４の矢印Ｚ方向）。
【００４２】
圧着ベース４２の内側面には、図３に示されるように、フィルム搬送方向に沿って配列された駆動プーリ４４、４個のアイドラプーリ４６、及び従動プーリ４８がそれぞれ回転可能に設けられている。これらの駆動プーリ４４、アイドラプーリ４６、及び従動プーリ４８には無端状のベルト５０が巻き掛けられており、各ベルト５０はフィルム搬送方向に沿って延設され、図４に示されるように、ベース板１８の上面に設けられた凸部２２Ａ、２２Ｂに対向して配置されている。また、各ベルト５０は、マスク保持部材２６Ａ、２６Ｂが上昇しているときには、凸部２２Ａ、２２Ｂから所定距離だけ離れて配置され、マスク保持部材２６Ａ、２６Ｂが所定位置まで下降すると、上述したマスク２４Ａ、２４Ｂの所定位置での停止後に、凸部２２Ａ、２２Ｂに圧着する。
【００４３】
図３に示されるように、圧着ユニット４０Ａ、４０Ｂの各駆動プーリ４４には、回転駆動軸５２Ａ、５２Ｂが連結されている。圧着ユニット４０Ａ、４０Ｂの各ベルト５０は、図示しないベルト駆動モータによって回転駆動軸５２Ａ、５２Ｂが同期して回転駆動されることにより、各駆動プーリ４４によって回転駆動され所定の方向へ同期して回転移動する。
【００４４】
図２に示されるように、フィルム搬送方向と直交する方向における圧着ユニット４０Ａ、４０Ｂの各外側には、一対の偏芯カム５４Ａ、５４Ｂが配置されている。この一対の偏芯カム５４Ａ、５４Ｂは、両端部が一対の軸受け部５６Ａ、５６Ｂに回転可能に支持されており、図４に示されるように、カム部５８Ａ、５８Ｂが、マスク保持部材２６Ａ、２６Ｂ上面の両側部に形成された押圧面部６０に当接している。
【００４５】
偏芯カム５４Ａ、５４Ｂの一端部先端には、タイミングプーリ６２Ａ、６２Ｂが取り付けられている。これらのタイミングプーリ６２Ａ、６２Ｂと、ステッピングモータからなる圧着モータ６６の駆動プーリ６７との間には、１本の無端状のタイミングベルト６４が巻き掛けられている。これにより、圧着モータ６６が作動して駆動プーリ６７を回転駆動させると、その回転駆動力がタイミングベルト６４を介してタイミングプーリ６２Ａ、６２Ｂに伝達され、偏芯カム５４Ａ、５４Ｂは同期して回転し、カム部５８Ａ、５８Ｂのカム面を上下に移動させる。そして、マスク保持部材２６Ａ、２６Ｂは、押圧面部６０が偏芯カム５４Ａ、５４Ｂのカム部５８Ａ、５８Ｂに押圧されると、下降してベース板１８に接近し、また、カム部５８Ａ、５８Ｂによる押圧が解除されると、支持機構に設けられた図示しないばね部材のばね力によって上昇しベース板１８から離間する。
【００４６】
次に、上記の構成とされた本実施形態のフィルムキャリア１０による写真フィルムＦに記録された画像コマＰから画像を読み取る画像読取動作及びその作用について説明する。
【００４７】
本実施形態のフィルムキャリア１０では、圧着ユニット４０Ａ、４０Ｂの各ベルト５０の回転移動により、写真フィルムＦがベース台１２の上面部に設けられたフィルム搬送路Ｒに沿って搬送され、図５（Ａ）に示されるように画像読取部１４に停止されると、圧着モータ６６が駆動してマスク保持部材２６Ａ、２６Ｂは下降する。
【００４８】
このマスク保持部材２６Ａ、２６Ｂの下降に伴い、ベース板１８に接近する方向へ移動される一対のマスク２４Ａ、２４Ｂによってフィルム表面における搬送方向の両縁部ＦＡ（図２参照）が押圧され画像読取基準面Ｓまで押し込まれる。さらに、このマスク２４Ａ、２４Ｂによる押圧後に、マスク保持部材２６Ａ、２６Ｂの下降に伴い、ベース板１８に接近する方向へ移動される一対の圧着ユニット４０Ａ、４０Ｂの各ベルト５０がフィルム表面における幅方向の両縁部ＦＢに圧着し、図５（Ｂ）に示されるように、写真フィルムＦは両縁部ＦＢが各ベルト５０とベース板１８の凸部２２Ａ、２２Ｂとの間に挟持されて画像読取部１４にセットされる。
【００４９】
その状態で、写真フィルムＦに記録された画像コマＰに、スキャナ装置の光源部から出射された光（図５（Ｂ）の矢印ＬＴ）がベース板１８を透過して照射され、この画像コマＰを透過した光（透過光）が、スキャナ装置のレンズユニットにより撮像素子の受光面上に結像される。これにより、フィルム透過光が撮像素子によって電気的な画像信号に変換され、画像として読み取られる。
【００５０】
ここで、写真フィルムＦに生じているフィルム幅方向に曲率を持つ樋状のカールは、フィルム幅方向の両縁部ＦＢが圧着ユニット４０Ａ、４０Ｂの各ベルト５０とベース板１８の凸部２２Ａ、２２Ｂとの間に挟持される前に、フィルム搬送方向の両縁部ＦＡがマスク２４Ａ、２４Ｂによって押圧されることにより大幅に縮小される。したがって、大きなカールであっても確実に抑えることができ、写真フィルムＦの平面性を良好にすることができる。
【００５１】
また、マスク２４Ａ、２４Ｂは、ベース板１８から離間され写真フィルムＦの押圧を解除した状態で、マスク移動モータ３４の駆動によるマスク保持部材２６Ａ、２６Ｂの相対移動により、画像コマＰのサイズに応じてフィルム搬送方向に沿って互いに接近及び離間するよう移動され、所定のマスク位置に配置される。このマスク２４Ａ、２４Ｂの変位により、写真フィルムＦを傷付けることなく搬送方向における画像コマサイズの変更に対応することができる。
【００５２】
なお、樋状の大きなカールが生じている写真フィルムＦに対し、フィルム搬送方向の両縁部ＦＡを押圧する一対のマスク２４Ａ、２４Ｂを、例えば光照射方向に沿った基準位置（画像読取基準面Ｓ）まで移動させただけでは、写真フィルムＦの中央部に許容範囲を超えるカールが残ってしまう場合があり、さらに、この一対のマスク２４Ａ、２４Ｂによる押圧で、フィルム搬送方向の両縁部ＦＡを例えばベース板１８に圧着させてしまうと、写真フィルムＦとベース板１８との間に空気溜まりが形成されてカールが潰れにくくされてしまう場合がある。
【００５３】
このような場合、ベース板１８の画像コマＰと対応する部位に、フィルム搬送方向に沿って凹部２０を設け、図５（Ｂ）の二点鎖線で示したように、マスク２４Ａ、２４Ｂをベース板１８の凹部２０内にΔＺだけ進入させるまで移動させて、写真フィルムＦにおける搬送方向の両縁部ＦＡを押圧するようにしてもよい。これにより、その両縁部ＦＡは光照射方向に沿った基準位置よりもさらに押し込まれるようになり、写真フィルムの中央部に残ってしまうカールＣを許容範囲に抑えることが可能となる。また、凹部２０内に進入させたマスク２４Ａ、２４Ｂを凹部２０に接触させない位置で停止させることにより、写真フィルムＦにおける搬送方向の両縁部ＦＡがベース板１８に圧着して写真フィルムＦとベース板１８との間に空気溜まりが形成されることはなくなり、カールＣが潰れにくくされることを防止できる。
【００５４】
また、本実施形態では、フィルム搬送路Ｒに沿って画像読取部１４に搬送される写真フィルムＦは、圧着ユニット４０Ａ、４０Ｂに搬送方向に沿って回転移動可能に設けられた各ベルト５０によって搬送されるため、１コマ又は複数コマ毎にカットされた短尺の写真フィルムでも自動で搬送することができる。
【００５５】
例えば、上述した実施形態では、マスク２４Ａ、２４Ｂを互いに接近及び離間させることによりマスク位置を変更するよう構成しているが、これらのマスク２４Ａ、２４Ｂは、何れか一方を他方に対して接近及び離間させることでマスク位置を変更するようにしてもよい。
【００５６】
次に、本実施形態の作用について説明する。
【００５７】
図６には、オペレータ及び画像読取装置８０の各部が実行する処理についてのタイミングチャートを示した。
【００５８】
まず、ＣＰＵ９２Ａが、ｔ１の時点において写真フィルムの搬送をフィルムキャリア１０に指示する。これにより、フィルムキャリア１０は、圧着ユニット４０Ａ、４０Ｂ等による写真フィルムの圧着を解除して、次の読み取り対象の画像コマが画像読取部１４に位置するように写真フィルムを搬送し、圧着ユニット４０Ａ、４０Ｂ等によって写真フィルムを圧着する。
【００５９】
そして、ｔ２の時点において、ＣＰＵ９２ＡがエリアＣＣＤスキャナ８２にプレスキャン、すなわち低解像度での画像コマの読み取りの実行を指示すると、エリアＣＣＤスキャナ８２の光源から射出された光が画像読取部１４の画像コマ全体に照射され、これを透過した光が光学レンズを介してエリアＣＣＤに結像する。エリアＣＣＤに蓄積された電荷は順次読み出されてＡ／Ｄ変換され、プレスキャンデータとしてスキャナ補正部８４に出力される。なお、プレスキャンデータは、スキャナ補正が終了するｔ４の時点まで保持される。
【００６０】
スキャナ補正部８４では、ｔ３の時点からスキャナ補正、すなわち欠陥画素補正等を実行する。補正されたプレスキャンデータは、メモリ、すなわちＲＡＭ９２Ｂに蓄積される。
【００６１】
スキャナ補正が終了すると、ｔ４の時点において、ＣＰＵ９２ＡはエリアＣＣＤスキャナ８２に測光処理を指示する。これにより、エリアＣＣＤスキャナ８２は、所定の測光処理を行い、この結果に基づいてファインスキャンにおける電荷蓄積時間等の画像読取条件が決定される。なお、プレスキャンの結果に基づいて電荷蓄積時間等を定めてもよく、この場合は測光処理を省略することができる。
【００６２】
そして、ＣＰＵ９２Ａは、測光処理が終了したｔ５の時点において、エリアＣＣＤスキャナ８２に対してファインスキャン、すなわち高解像度での画像コマの読み取りの実行を指示する。これにより、エリアＣＣＤスキャナ８２の光源から射出された光が画像読取部１４の画像コマ全体に照射され、これを透過した光がレンズを介してエリアＣＣＤに結像する。このとき、測光処理において決定された電荷蓄積時間分の電荷がエリアＣＣＤに蓄積される。エリアＣＣＤに蓄積された電荷は順次読み出されてＡ／Ｄ変換され、ファインスキャンデータとしてスキャナ補正部８４に出力される。なお、ファインスキャンデータは、スキャナ補正が終了するｔ８の時点まで保持される。
【００６３】
そして、プレスキャンの時と同様に、スキャナ補正部８４によってｔ６の時点からスキャナ補正が実行され、補正されたファインスキャンデータがＲＡＭ９２Ｂに蓄積される。
【００６４】
一方、画像処理部８６の縮小処理部では、ｔ４の時点においてスキャナ補正が終了すると、プレスキャンデータに基づいて画像コマの縮小処理を行う。なお、この縮小処理は、ｔ８の時点においてファインスキャンデータについても行われる。
【００６５】
そして、縮小処理が終了すると、ｔ７の時点において、画像処理部８６の補正・変換部において所定の補正・変換処理を行う。この補正処理及び変換処理は、具体的には、例えばプレスキャンデータを人間にとって見やすい濃度に変換する処理、色合いや濃度を適正に補正する処理、プレスキャンによって得られた画像を表示部８８に表示するのに必要な変換処理等である。
【００６６】
プレスキャンデータについて補正・変換処理が終了すると、ｔ９の時点において、処理後のプレスキャン画像が表示部８８に表示される。
【００６７】
このように、プレスキャン及びファインスキャンを連続的に行い、プレスキャンデータに対する各種の画像処理とファインスキャンとを並行して実行する。
【００６８】
オペレータは、表示部８８に表示されたプレスキャン画像を目視して、操作部９０を操作することにより、例えば画像のトリミングやプリントサイズの変更、画像読取条件、画像処理条件等を指示する検定処理を行う。
【００６９】
この検定処理において、再度ファインスキャンを実行する必要のある操作、例えば画像のトリミングやプリントサイズの変更等が特に指示されていない場合には、ｔ１０の時点において、プリンタ部９４と所定の通信を行う。画像読取装置８０によって読み取られた画像は、プリンタ部９４において印画紙に露光されるので、この通信では、プリンタ部９４の準備が完了しているか否か等の確認を行う。
【００７０】
そして、通信が終了した後は、ｔ１１の時点において、プレスキャンデータとファインスキャンデータとの差を補正するＰＦ間補正を画像処理部８６の補正・変換部において行う。その後、画像処理部８６の信号処理部において、ＤＳＰ、すなわち所定のデジタル信号処理を施して、プリンタ部９４へ転送する。
【００７１】
また、ｔ１１の時点においてプリンタ部９４との通信が終了すると、ＰＦ間補正と並行して写真フィルムの搬送が行われる。すなわち、圧着ユニット４０Ａ、４０Ｂ等による写真フィルムの圧着を解除して写真フィルムを搬送し、次の読み取り対象の画像コマが画像読取部１４に位置するように写真フィルムを搬送し、圧着ユニット４０Ａ、４０Ｂ等によって写真フィルムを圧着する。以降は、上記と同様である。
【００７２】
一方、検定処理においてオペレータが画像のトリミングやプリントサイズの変更を指示した場合、最適な光学倍率や読み取り解像度等の画像読取条件が変わってしまうため、ｔ５の時点において先に実行したファインスキャンにより得られたファインスキャンデータは使用できなくなる。このため、同じ画像コマに対して再度ファインスキャンを実行する必要がある。
【００７３】
この場合、ＣＰＵ９２Ａは、図７に示すように、ｔ１０の時点において、画像読取条件等を再設定し、その条件で再度ファインスキャンを実行するようエリアＣＣＤスキャナ８２に指示する。これにより、同じ画像コマに対してファインスキャンが再度実行される。そして、最初に行ったファインスキャンと同様に、スキャナ補正、各種画像処理等が行われた後、プリンタ部９４へ転送される。なお、写真フィルムの搬送は、再ファインスキャン後、プリンタ部９４との通信が終了した後に行われる。
【００７４】
このように、本実施形態では、再度ファインスキャンを実行することができるため、画像のトリミングやプリントサイズの変更等によって画像読み取り条件を変更する必要がある場合にも対応することができ、より適正に画像を読み取ることができる。
【００７５】
また、プレスキャン及びファインスキャンを連続的に行うが、その後すぐに写真フィルムを搬送するのではなく、検定処理の後で写真フィルムを搬送している。これにより、検定処理において再ファインスキャンが必要となった場合でも、写真フィルムを逆搬送して戻す必要がない。ブローニフィルムのように、パーフォレーションが設けられてない写真フィルムの場合には、逆搬送した場合に正確に読み取り位置に戻されるとは限らないが、本実施形態のように、必ず検定処理の後に写真フィルムを搬送することにより、逆搬送により発生する位置ずれの影響を防ぐことができる。
【００７６】
また、プレスキャンデータに対する画像処理及び検定処理と、ファインスキャンとは並行して実行されるため、ファインスキャンの画像読取条件として、通常よりも高解像度で読み取るように設定されていた場合には、図８に示すように、オペレータによる検定処理が終了する時点、すなわちｔ１０の時点においてもファインスキャンが終了していない場合がある。
【００７７】
このような場合、ＣＰＵ９２Ａは、ファインスキャンの実行を中止して再度ファインスキャンをやり直すようエリアＣＣＤスキャナ８２に指示する。これにより、ｔ１１の時点において再度ファインスキャンが最初から実行される。このように、検定処理が終了してもファインスキャンが実行中の場合には、これを中止して再度ファインスキャンを実行するので、スキャンサイクルが無用に長くなるのを防ぐことができる。
【００７８】
以上、本発明を上述した特定の実施形態により詳細に説明したが、本発明はその実施形態に限定されるものではなく、本発明の範囲内にて他の種々の形態が実施可能である。
【図面の簡単な説明】
【００７９】
【図１】本発明の一実施形態に係る画像読取装置の概略構成を示すブロック図である。
【図２】本発明の一実施形態に係るフィルムキャリアの外観を示す斜視図である。
【図３】図１のフィルムキャリアにおいてマスク、マスク保持部材、及びその駆動機構を取り除いた状態の外観を示す斜視図である。
【図４】本発明の一実施形態に係るフィルムキャリアの要部をフィルム搬送路の上流側から見た外観を示す斜視図である。
【図５】本発明の一実施形態に係るフィルムキャリアによる写真プリントのカールを抑える動作を説明する説明図で、（Ａ）は樋状のカールを生じている写真フィルムが画像読取部に搬送された直後の状態であり、（Ｂ）は写真フィルムのカールが抑えられている状態である。
【図６】画像読取装置及びオペレータが実行する処理のタイミングチャートである。
【図７】画像読取装置及びオペレータが実行する処理のタイミングチャートである。
【図８】画像読取装置及びオペレータが実行する処理のタイミングチャートである。
【符号の説明】
【００８０】
１０      フィルムキャリア
８０      画像読取装置
８２      エリアＣＣＤスキャナ
８４      スキャナ補正部
８６      画像処理部
８８      表示部
９０      操作部
９２      マイクロプロセッサ
９４      プリンタ部
【図１】
2006217330.tif 000003
【図２】
2006217330.tif 000004
【図３】
2006217330.tif 000005
【図４】
2006217330.tif 000006
【図５】
2006217330.tif 000007
【図６】
2006217330.tif 000008
【図７】
2006217330.tif 000009
【図８】
2006217330.tif 000010